(57)【要約】  本発明は、一種の上り制御チャネル資源配置方法を開示する。当該方法は、ネットワーク側設備がユーザ設備UEの上り搬送波集合と下り搬送波集合との中にセル専属整合関係を持っている下り搬送波を確定することと、前記ネットワーク側設備が、確定結果に基づいてセル専属整合関係を持っていない下り搬送波に対して上り制御チャネル資源を配置することを含み、本発明により提供された方法が簡単で且つ実施し易く、FDDとTDDシステムに適用し、長期進化多搬送波アップグレードシステムのシステム性能を向上でき、現有のLTEシステムと良く両立できる。【選択図】図５
2013507859.tif 000002
【特許請求の範囲】
【請求項１】
ネットワーク側設備が、ユーザ設備UEの上り搬送波集合と下り搬送波集合との中でセル専属整合関係を持っている下り搬送波を確定することと、
前記ネットワーク側設備が、確定結果に基づいてセル専属整合関係を持っていない下り搬送波に対して上り制御チャネル資源を配置することを含むことを特徴とする上り制御チャネル資源配置方法。
【請求項２】
前記ネットワーク側設備がUEの上り搬送波集合と下り搬送波集合との中でセル専属整合関係を持っている下り搬送波を確定する前に、
前記ネットワーク側設備が前記UEにより重合される搬送波集合を確定することを含み、前記搬送波集合が上り搬送波集合と下り搬送波集合とを含むこと
を特徴とする請求項１記載の方法。
【請求項３】
前記上り搬送波集合が下り搬送波集合のうちの１つの下り搬送波のセル専属整合関係を有する上り搬送波を含む場合、前記下り搬送波が確定結果に基づいて前記セル専属整合関係を持っている下り搬送波であることと、
前記上り搬送波集合が下り搬送波集合のうちの１つの下り搬送波のセル専属整合関係を有する上り搬送波を含まない場合、前記下り搬送波が確定結果に基づいて前記セル専属整合関係を持っていない下り搬送波であることも含むこと
を特徴とする請求項１記載の方法。
【請求項４】
下り搬送波が整合無し下り搬送波である場合、前記ネットワーク側設備が確定結果によってセル専属整合関係を持っていない下り搬送波に対して上り制御チャネル資源を配置することは、
前記ネットワーク側設備が高層信号経路を通じて前記UE物理下り制御チャネルPDCCHに対応するACK/NACKフィードバック情報により使用される上り制御チャネル資源を配置することを含むこと
を特徴とする請求項１又は３記載の方法。
【請求項５】
前記PDCCHは動態スケジューリング下りデータにより送信されたPDCCH、及び/又は半持続的なスケジューリングSPS資源により解放されたPDCCHを含むこと
を特徴とする請求項４記載の方法。
【請求項６】
前記UEが搬送波にまたがるスケジューリングをサポートしない場合、前記ネットワーク側設備が、高層信号経路を通じて前記UEのPDCCHに対応するACK/NACKフィードバック情報によって使用される上り制御チャネル資源を配置することは、
前記ネットワーク側設備が、高層信号経路を通じて前記PDCCHに対応するACK/NACKフィードバック情報によって使用されるＮ−Ｍ’個の上り制御チャネル資源を配置することを含み、Ｎが重合する下り搬送波数量であり、Ｍが上り搬送波数量であり、Ｍ個の上り搬送波とＭ’個の下り搬送波とは整合関係を持ち、Ｍ’≦Ｎとなること
を特徴とする請求項４記載の方法。
【請求項７】
前記UEが搬送波にまたがるスケジューリングをサポートする場合、前記ネットワーク側設備が高層信号経路を通じて前記UEのPDCCHに対応するACK/NACKフィードバック情報で使用する上り制御チャネル資源を配置することは、
前記ネットワーク側設備が高層信号経路を通じてPDCCHに対応するACK/NACKフィードバック情報にｋ個の上り制御チャネル資源を配置することを含み、ｋ∈｛０,１,...,Ｎ｝であること
を特徴とする請求項４記載の方法。
【請求項８】
前記ｋ＝０の場合、前記ネットワーク側設備が整合無し下り搬送波で前記UEのPDCCHを送信しないよう確定することと、
前記のｋ＞０場合、前記ネットワーク側設備が整合無し下り搬送波で前記UEのPDCCHを送信する数量がｋ個を超えないよう確定すること
を特徴とする請求項７記載の方法。
【請求項９】
UEの上り搬送波集合と下り搬送波集合との中でセル専属整合関係を持っている下り搬送波を確定するための確定モジュールと、
確定モジュールの確定結果によってセル専属整合関係を持っていない下り搬送波に対して上り制御チャネル資源を配置するための配置モジュールとを含むこと
を特徴とするネットワーク側設備。
【請求項１０】
前記確定モジュールがまた、前記UEが重合する搬送波集合を確定することに使用され、前記搬送波集合が上り搬送波集合と下り搬送波集合とを含むこと
を特徴とする請求項９記載のネットワーク側設備。
【請求項１１】
前記確定モジュールがまた、
前記上り搬送波集合が下り搬送波集合のうちの１つの下り搬送波のセル専属整合関係を含む場合、前記下り搬送波が確定結果に基づいて前記セル専属整合関係を持つ下り搬送波であると確定することと、
前記上り搬送波集合に下り搬送波集合のうちの１つの下り搬送波のセル専属整合関係を含まない場合、前記下り搬送波が確定結果に基づいて前記セル専属整合関係を持っていない下り搬送波であることを確定することとに使用されること
を特徴とする請求項９記載のネットワーク側設備。
【請求項１２】
下り搬送波が整合無し下り搬送波である場合、
前記配置モジュールが具体的に、高層信号経路を通じて、前記UEにPDCCHに対応するACK/NACKフィードバック情報に使用する上り制御チャネル資源を配置することに使用されること
を特徴とする請求項９又は１１記載のネットワーク側設備。
【請求項１３】
前記UEが搬送波にまたがるスケジューリングをサポートしない場合、
前記配置モジュールがまた、高層信号経路を通じて前記PDCCHに対応するACK/NACKフィードバック情報によって使用されるＮ−Ｍ’個の上り制御チャネル資源を配置することを含み、
Ｎが重合する下り搬送波数量、Ｍが上り搬送波数量であり、Ｍ個の上り搬送波とＭ’個の下り搬送波とは整合関係Ｍ’≦Ｎを持つこと
を特徴とする請求項１２記載のネットワーク側設備。
【請求項１４】
前記UEが搬送波にまたがるスケジューリングをサポートする場合、
前記配置モジュールがまた、高層信号経路を通じてPDCCHに対応するACK/NACKフィードバック情報もｋ個の上り制御チャネル資源を配置するために使用され、
ｋ∈｛０,１,...,Ｎ｝であること
を特徴とする請求項１２記載のネットワーク側設備。
【請求項１５】
前記ｋ＝０の場合、前記配置モジュールがまた整合無し下り搬送波で前記UEのPDCCHを送信しないよう確定するために使用され、
前記ｋ＞０の場合、前記配置モジュールがまた整合無し下り搬送波で前記UEのｋ個以上のPDCCHを送信することを確定するために使用されること
を特徴とする請求項１４記載のネットワーク側設備。
【請求項１６】
UEがネットワーク側設備からの配置情報を受け取ることを含み、前記配置情報が前記ネットワーク側設備により整合無し下り搬送波に対して配置された上り制御チャネル資源を含み、
前記UEが前記上り制御チャネル資源を使用して前記整合無し下り搬送波でのPDCCHに対応するACK/NACKフィードバック情報を送信すること
を特徴とする上り制御チャネル資源配置方法。
【請求項１７】
前記配置情報が前記ネットワーク側設備により確定された重合した搬送波集合情報、整合無し下り搬送波情報、および整合下り搬送波情報を含み、
前記PDCCHが、動態スケジューリング下りデータにより送信されたPDCCH、及び/又は，半分持続的なスケジューリングSPS資源により解放されたPDCCHを含むこと
を特徴とする請求項１６記載の方法。
【請求項１８】
下り搬送波が整合下り搬送波である場合、
前記UEが前記整合下り搬送波の整合上り搬送波で前記整合下り搬送波でのPDCCHに対応するACK/NACKフィードバック情報を送信すること
を特徴とする請求項１７記載の方法。
【請求項１９】
複数の上り制御チャネル資源を配置する時に、
前記UEが、前記PDCCHによって配置された搬送波コードと前記ＰＤＣＣＨによって占用されたCCEコードとによって前記PDCCHに対応するフィードバック情報送信時に使用する上り制御チャネル資源を確定することを含むこと
を特徴とする請求項１６から１８の何れか１項記載の方法。
【請求項２０】
ネットワーク側設備からの配置情報を受け取るために使用され、前記配置情報に前記ネットワーク側設備により整合無し下り搬送波に対して配置された上り制御チャネル資源が含まれることを特徴とする受付モジュールと、
前記上り制御チャネル資源を使用して前記整合無し下り搬送波でのPDCCHに対応するACK/NACKフィードバック情報を送信するための送信モジュールとを含むこと
を特徴とするユーザ設備UE。
【請求項２１】
下り搬送波が整合下り搬送波である場合、
前記送信モジュールが、前記整合下り搬送波の整合上り搬送波で前記整合下り搬送波でのPDCCHに対応するACK/NACKフィードバック情報を送信することにも使用されること
を特徴とする請求項２０記載のUE。
【請求項２２】
複数の上り制御チャネル資源を同時に配置する場合、
前記PDCCHによって配置された搬送波コードと前記ＰＤＣＣＨによって占用されたCCEコードとによって前記PDCCHに対応するフィードバック情報送信時に使用する上り制御チャネル資源を確定するための確定モジュールを含むこと
を特徴とする請求項２０又は２１記載のUE。
【請求項２３】
下記ネットワーク側設備とUEを含み、
前記UEの上り搬送波集合と下り搬送波集合でセル専属整合関係を持っている下り搬送波を確定し、確定結果に基づいてセル専属整合関係を持っていない下り搬送波に対して上り制御チャネル資源を配置するための前記ネットワーク側設備と、
前記ネットワーク側設備からの配置情報を受け取り、前記配置情報に前記ネットワーク側設備により整合下り搬送波に対して配置された上り制御チャネル資源を含み、前記上り制御チャネル資源を使用して前記整合無し下り搬送波でのPDCCHに対応するACK/NACKフィードバック情報を送信するための前記UEを含むこと
を特徴とする上り制御チャネル資源配置システム。
【発明の詳細な説明】
【技術分野】
【０００１】
本出願は２００９年１０月１６日中国特許局に提出され、申請番号が２００９１０２３６３２９．７で、発明名称が「一種の上り制御チャネル資源配置方法、設備及びシステム」の中国特許申請の優先権で、全部内容は引用を通じて本出願に導入される。
【０００２】
本発明は、通信技術分野、特に一種の上り制御チャネル資源配置方法、設備、およびシステムに係る。
【背景技術】
【０００３】
LTE（Long Term Evolution、長期進化）は３G（３rd Generation、第三世代移動通信システム）の進化で、LTEは３Gの空中アクセス技術を改善・強化し、OFDM（Orthogonal Frequency Division Multiplexing、直交周波数分割多重化）とMIMO（Multiple Input Multiple Output、多重入力多重出力）を無線ネットワーク進化の標準とする。LTEは、２０MHz周波数スペクトル帯域幅の下で、下り１００Mbit/sと上り５０Mbit/sのピーク速度を提供して、セル縁のユーザ性能を向上し、セル容量を向上し、システム遅延を低減した。LTE技術の特徴は、高いデータ速度、パケット送信、短い遅延、広域受信地域、および下方互換性を含む。
【０００４】
移動端末ユーザ数の激増につれて、端末ユーザの業務容量は指数的に増加して、継続的に増加している端末ユーザの業務ニーズを満足する為に、端末ユーザの業務と応用に必要なより高いピーク速度を満足する為に一層大きい帯域幅を提供する必要がある。即ち、将来の移動通信システムでは、例えば、B３G（Beyond three Generation、後三世代）又はLTE-A（LTE-Advanced、アドバンスLTE）において、システムはより高いピークデータ速度とセルスループットを提供すると同時に、より大きい帯域幅を提供する必要があり、即ち、長期進化多搬送波システムに対して、LTEシステムより一層広いシステム帯域幅、例えば、１００MHzをサポートする必要がある。
【０００５】
具体的には、LTEシステムより一層広いシステム帯域幅（１００MHzを例として）をサポートする為に、１００MＨｚ帯域幅の周波数スペクトルを直接配置できて、図１に示すような単一周波数スペクトルシステムの図である。現有のシステムに配置された一部分の周波数スペクトルを重合することによって、一層広いシステム帯域幅に合併し、長期進化する多搬送波システムの使用に備えて、図２に示すような周波数スペクトル重合システムの図である。図２に示すような周波数スペクトル重合の状況の下で、システムでの上り搬送波および下り搬送波を非対称的に配置でき、即ち、ユーザがＮ≧１個の搬送波を占用して下り送信を行い、またＭ≧１個の搬送波を占用して上り送信を行う可能性がある。
【０００６】
現有技術の中で、LTEシステムの基本送信方式は定着しており、図３に示すようなFDD（Frequency Division Duplex、周波数分割二重通信）システムの送信方式の図と図４に示すようなTDD（Time Division Duplexing、時間分割二重通信）システムの送信方式の図である。図３と図４では、各工作搬送波にそれぞれ下り信号経路、下りデータ、上り信号経路、上りデータ及び相互送信関係を定義した。
【０００７】
具体的には、上り制御信号経路は周波数バンドの両端を占用し、周波数ホッピングの方式を使用して送信し、即ち、一つのサブフレーム内の二つのタイム・スロットの中で、上り制御信号経路は異なる周波数バンドを使用して送信する。この時、上りサブフレームで積載する制御チャネル数量を動態に了解できないので、システムは、上りサブフレームで一定の資源を保留して、上り制御チャネル送信に備える。
【０００８】
この上、非持続的にスケジューリングされたACK（ACKnowledge Character、確認文字）/NACK（Negative ACKnowledgment Character、確認しない文字）フィードバック送信に対して、フィードバックを行うUE（User Equipment、ユーザ設備）は自分で受け取った下り制御信号経路PDCCH（Physical Downlink Control Channel、物理下りリンク制御チャネル）が専用したCCE（Control Channel Element、制御チャネル要素）コード
【数１】
2013507859.tif 000003
によって、当該UEがACK/NACKフィードバックを行う為に使用する資源（即ち、チャネル）コード
【数２】
2013507859.tif 000004
を計算し、即ち、各PDCCHが一つの利用可能の上り制御チャネル資源に対応し、各PDCCHに当該利用可上り制御チャネル資源を保留する。
【０００９】
本発明の実現プロセスで、発明者は、現有技術に少なくとも下記の欠点が存在していることを発見した。
【００１０】
長期進化多搬送波システムの中で、搬送波集合を使用する際に、各上り搬送波内で各下り搬送波の為に相応なフィードバック資源を保留すると、上り搬送波に厳重な資源無駄があり、酷くなると、利用できる上り資源がなく、データ送信をできなくなり、システムの送信効率に厳重な影響を与える。
【発明の概要】
【発明が解決しようとする課題】
【００１１】
本発明は、上り制御チャネル資源配置方法、設備、及びシステムを提供することによって、システム資源を節約し、システムの送信効率を向上する。
【課題を解決するための手段】
【００１２】
前記目的を達成する為に、
ネットワーク側設備がユーザ設備UEの上り搬送波集合と下り搬送波集合との中でセル専属整合関係を持っている下り搬送波を確定することと、
前記ネットワーク側設備が、確定結果に基づいてセル専属整合関係を持っていない下り搬送波に対して上り制御チャネル資源を配置することを含む上り制御チャネル資源配置方法を本発明の実施形態は提供する。
【００１３】
UEの上り搬送波集合と下り搬送波集合でのセル専属整合関係を持っている下り搬送波を確定するための確定モジュールと、
確定モジュールの確定結果によってセル専属整合関係を持っていない下り搬送波に対して上り制御チャネル資源を配置するための配置モジュールを含むネットワーク側設備を本発明の実施形態は提供する。
【００１４】
UEがネットワーク側設備からの配置情報を受け取り、前記配置情報に前記ネットワーク側設備により整合無し下り搬送波に対して配置された上り制御チャネル資源が含まれることと、
前記UEが前記上り制御チャネル資源を使用して前記整合無し下り搬送波でのPDCCHに対応するACK/NACKフィードバック情報を送信することを含む上り制御チャネル資源配置方法を本発明の実施形態は提供する。
【００１５】
ネットワーク側設備からの配置情報を受け取る為に使用され、前記配置情報に前記ネットワーク側設備により整合無し下り搬送波に対して配置された上り制御チャネル資源が含まれることを特徴とする受付モジュールと、
前記上り制御チャネル資源を使用して前記整合無し下り搬送波でのPDCCHに対応するACK/NACKフィードバック情報を送信するための送信モジュールを含むユーザ設備UEを本発明の実施形態は提供する。
【００１６】
前記UEの上り搬送波集合と下り搬送波集合でセル専属整合関係を持っている下り搬送波を確定し、確定結果に基づいてセル専属整合関係を持っていない下り搬送波に対して上り制御チャネル資源を配置するための前記ネットワーク側設備と、
前記ネットワーク側設備からの配置情報を受け取り、前記配置情報に前記ネットワーク側設備により整合下り搬送波に対して配置された上り制御チャネル資源を含み、前記上り制御チャネル資源を使用して前記整合無し下り搬送波でのPDCCHに対応するACK/NACKフィードバック情報を送信するための前記UEを含む上り制御チャネル資源配置システムを本発明の実施形態は提供する。
【発明の効果】
【００１７】
現有の技術と比べると、本発明は少なくとも下記の有利な点を持つ。
【００１８】
長期進化多搬送波システムで、搬送波集合を使用する場合、システムでの上りフィードバックチャネル出費を低減し、資源の保留と配置を実施できる。本発明により提供された方法は簡単で且つ実施し易く、FDD和TDDシステムに適して、長期進化多搬送波アップグレードシステム的システム性能を向上できると同時に、現有のLTEシステムと良く両立できる。
【図面の簡単な説明】
【００１９】
【図１】図１は、現有技術での単一周波数スペクトルシステムの図である。
【図２】図２は、現有技術での周波数スペクトル重合システムの図である。
【図３】図３は、現有技術でのFDDシステムの送信方式の図である。
【図４】図４は、技術でのTDDシステムの送信方式の図である。
【図５】図５は、本発明に係る実施形態一により提供により一種の上り制御チャネル資源配置方法のフローである。
【図６】図６は、本発明に係る実施形態二により提供された一種の上り制御チャネル資源配置方法のフローである。
【図７】図７は、本発明に係る実施形態において、下り搬送波と上り搬送波の間に対応セル専属の整合関係を持っている図である。
【図８】図８は、本発明の実施形態において、下り搬送波でのPDCCHに対応するACK/NACKが上り搬送波でフィードバックする図である。
【図９】図９は、本発明の実施形態において、時間的搬送波にまたがるスケジューリングの場合のACK/NACKフィードバック送信を示す図である。
【図１０】図１０は、本発明の実施形態において、時間的搬送波にまたがるスケジューリングの場合のACK/NACKフィードバック送信を示す図である。
【図１１】図１１は、本発明の実施形態において複数の上り制御チャネル資源が配置された場合の上り制御チャネル資源とPDCCHとの対応関係を示す図である。
【図１２】図１２は、本発明に係る実施形態三により提供された一種のネットワーク側設備構造を示す図である。
【図１３】図１３は、本発明に係る実施形態四により提供された一種のユーザ設備構造を示す図である。
【発明を実施するための形態】
【００２０】
現有技術で周波数スペクトル重合技術を使用する長期進化の多搬送波システムに、多種重合能力を持つUEが存在する可能性があるので、基地局は、UEの重合能力及び具体的な業務のニーズによって、配置UEが非称搬送波集合を行うよう配置する可能性があり、DL（DownLink，下り）搬送波数がUL（UpLink，上り）搬送波数より多い場合、柔軟に各種比例の非対称的な重合をサポートしたい場合、システムは、各上り搬送波内で各下り搬送波に対して相応なフィードバック資源を保留するので、上り搬送波に厳重な資源の無駄があり、酷くなると、利用できる上り資源がなく、データ送信をできなくなり、システムの送信効率に厳重な影響を与える問題が発生する。本発明の実施形態は、上り制御チャネル資源配置を提供し、当該上り制御チャネル資源配置は、動態と半分静態との結びつきによって資源配置を行う方法で、各上り成分搬送波内保留される制御チャネル資源の大きさを著しく低減することによって、上り送信効率を向上する。
【００２１】
これから、本発明の実施形態の添付図面に合わせて、本発明の実施形態の技術的事項を明らかに且つ完全に説明する。しかし、この実施形態は本発明の一部であり、全部ではない。本発明の実施形態に基づき、本技術分野の技術者が作ったイノベーションのないほかの実施形態の全部は本発明の保護範囲以内に属する。
【００２２】
本発明の実施形態一は一種の上り制御チャネル資源配置方法を提供し、図５に示すように、下記の手順を含む。
【００２３】
手順５０１、ネットワーク側設備がユーザ設備UEの上り搬送波集合と下り搬送波集合の中でセル専属整合関係を持っている下り搬送波を確定する。
【００２４】
手順５０２、前記ネットワーク側設備が、確定結果に基づいてセル専属整合関係を持っていない下り搬送波に対して上り制御チャネル資源を配置する。
【００２５】
具体的には、前記ネットワーク側設備が上り搬送波集合と下り搬送波集合の中でセル専属整合関係を持っている下り搬送波を確定する前に、次の事項、即ち、前記ネットワーク側設備がUEにより重合される搬送波集合を確定することを含み、前記搬送波集合は上り搬送波集合と下り搬送波集合を含む。
【００２６】
前記上り搬送波集合に下り搬送波集合での整合下り搬送波の整合上り搬送波が含まれる場合、前記整合下り搬送波が確定結果に基づいて前記セル専属整合関係を持っている下り搬送波である。
【００２７】
前記上り搬送波集合に下り搬送波集合での整合無し下り搬送波の整合上り搬送波が含まれていない場合、前記整合無し下り搬送波が確定結果に基づいて前記セル専属整合関係を持っていない下り搬送波である。
【００２８】
下り搬送波が整合無し下り搬送波である場合、前記ネットワーク側設備が確定結果に基づいてセル専属整合関係を持っていない下り搬送波に対して上り制御チャネル資源を配置し、次の項目を含み、即ち、前記ネットワーク側設備が高層信号経路を通じてUEPDCCHに対応するACK/NACKフィードバック情報により使用される上り制御チャネル資源を配置することを含む。この中で、前記PDCCHは、動態スケジューリング下りデータにより送信されたPDCCH及び/又はSPS（semi-persistently scheduled、半分持続的なスケジューリング）資源により解放されたPDCCHを含む。
【００２９】
前記UEが搬送波にまたがるスケジューリングをサポートしない場合、前記ネットワーク側設備は、高層信号経路を通じてUEPDCCHに対応するACK/NACKフィードバック情報により使用される上り制御チャネル資源を配置し、下記の事項を含み、即ち、前記ネットワーク側設備が高層信号経路を通じて前記PDCCHに対応するACK/NACKフィードバック情報にＮ−Ｍ’個の上り制御チャネル資源を配置することを含み、Ｎが重合する下り搬送波数量であり、Ｍが上り搬送波数量であり、Ｍ個の上り搬送波とＭ’個の下り搬送波とは整合関係を持ち、Ｍ’≦Ｎである。
【００３０】
前記UEが搬送波にまたがるスケジューリングをサポートする場合、前記ネットワーク側設備高層信号経路を通じてUEに、PDCCHに対応するACK/NACKフィードバック情報により使用される上り制御チャネル資源を配置し、次の事項、即ち、前記ネットワーク側設備高層信号経路を通じてPDCCHに対応するACK/NACKフィードバック情報にｋ個の上り制御チャネル資源を配置することを含み、ｋ∈｛０,１,...,Ｎ｝である。
【００３１】
更に、前記ｋ＝０の場合、前記ネットワーク側設備が整合無し下り搬送波で前記UEを送信できないPDCCHを確定する。
【００３２】
前記ｋ＞０の場合、前記ネットワーク側設備が整合無し下り搬送波で前記UEを送信するPDCCH数量がｋ個を超えないよう確定する。
【００３３】
本発明の実施形態により提供された方法には
手順５０３、UEがネットワーク側設備からの配置情報を引き受け、前記配置情報に前記ネットワーク側設備により整合無し下り搬送波に対して配置された上り制御チャネル資源が含まれる。
【００３４】
手順５０４、前記UEが前記上り制御チャネル資源を使用して前記整合無し下り搬送波でのPDCCHに対応するACK/NACKフィードバック情報を送信する。この中で、前記配置情報は前記ネットワーク側設備により確定された重合する搬送波集合情報、整合無し下り搬送波情報、整合下り搬送波情報を含む。前記PDCCHは、動態スケジューリング下りデータにより送信されたPDCCH、及び/又はSPS資源により解放されたPDCCHを含む。
【００３５】
具体的には、整合無し下り搬送波に対して、複数の上り制御チャネル資源を同時に配置した場合、前記UEが前記PDCCHの所属する搬送波コードと専用したCCEコードによって前記PDCCHに対応するフィードバック情報を送信する時に使用する上り制御チャネル資源を確定する。
【００３６】
具体的には、下り搬送波が整合下り搬送波である場合、前記UEが前記整合下り搬送波の整合上り搬送波で前記整合下り搬送波でのPDCCHに対応するACK/NACKフィードバック情報を送信する。
【００３７】
整合下り搬送波に対して、前記UEが整合下り搬送波でのPDCCHが占用するCCE位置によって前記PDCCHに対応するフィードバック情報送信時に使用する上り制御チャネル資源を確定する。
【００３８】
これから見ると、本発明によって提供される方法を使用することによって、長期進化多搬送波システムで、搬送波集合を使用する際に、システムでの上りフィードバックチャネル出費を低減し、資源の保留と配置を実施できる。本発明により提供された方法は簡単で且つ実施し易く、FDDとTDDシステムに適用し、長期進化多搬送波アップグレードシステム的システム性能を向上できると同時に、現有のLTEシステムと良く両立できる。
【００３９】
本発明の実施形態二は、一種の上り制御チャネル資源配置方法を提供し、周波数スペクトル重合技術を使用する長期進化多搬送波システムに当該上り制御チャネル資源配置方法を使用することによって、現有のLTEシステムと両立でき、図６の示すように、下記の手順を含む。
【００４０】
手順６０１、ネットワーク側設備は上りと下り搬送波の間にセル専属の整合関係があるかどうか確定し、セル専属の整合関係がある場合、手順６０２に飛び、セル専属の整合関係がない場合、手順６０３に飛ぶ。この中で、当該ネットワーク側設備はRNC（Radio Network Controller、無線ネットワークコントローラ）、NB（Node B、ノードB）、eNB（enhanced Node B、強化型ノードB）、基地局等を含むが、これらに限らない。説明が要ることとしては、当該ネットワーク側設備が上述設備に限らず、ネットワーク側に位置するすべての設備は本発明の保護範囲に属する。説明の便利で、本発明の実施形態で、全部基地局を例として当該ネットワーク側設備を説明する。
【００４１】
図７に示すように、下り搬送波１と下り搬送波２にとって、上り搬送波１と対応セル専属整合関係を持ち、下り搬送波３と下り搬送波４にとって、上り搬送波とは、対応セル専属的整合関係を持っていない。
【００４２】
手順６０２、基地局は、整合関係を持っているDL搬送波でのPDCCHに対応するACK/NACKフィードバックにより使用される整合UL搬送波内保留する上り制御チャネル資源を送信する。即ち、基地局DL搬送波に対応する整合UL搬送波内で、当該DL搬送波でのPDCCHの為に、上り制御チャネル資源を保留することによって、UEが当該保留された上り制御チャネル資源を利用して当該PDCCHに対応するACK/NACKフィードバックを送信する。当該PDCCHは、動態スケジューリング下りデータにより送信されたPDCCH、及び/又はSPS資源により解放されたPDCCHを含む。
【００４３】
具体的には、多搬送波システムの中で、上りと下り搬送波の間に、一つのセル専属の整合関係があり、当該整合関係を通じて、各下り搬送波でのPDCCHに対応するACK/NACKをどちらの上り搬送波でフィードバックするか確定し、図８に示すようである。
【００４４】
DL搬送波１でのPDCCHにとって、CCEコードによる得られた上り制御チャネル資源がUL搬送波１にあり、即ち、DL搬送波１とUL搬送波１は対応整合関係（整合１）を持ち、DL搬送波１でのPDCCHに対応するACK/NACKをUL搬送波１でフィードバックすることである。
【００４５】
同様に、DL搬送波２でのPDCCHに対応する上り制御チャネルがUL搬送波１にあり、DL搬送波３とDL搬送波４でのPDCCHに対応する上り制御チャネルがUL搬送波２上にある。即ち、DL搬送波２とUL搬送波１とは、対応整合関係（整合２）を持ち、DL搬送波２でのPDCCHに対応するACK/NACKをUL搬送波１でフィードバックを行い、DL搬送波３とUL搬送波２とは対応整合関係（整合３）を持ち、DL搬送波３でのPDCCHに対応するACK/NACKをUL搬送波２でフィードバックを行い、DL搬送波４とUL搬送波２とは対応整合関係（整合４）を持ち、DL搬送波４でのPDCCHに対応するACK/NACKをUL搬送波２でフィードバックを行うことである。
【００４６】
更に、基地局がUEにより搬送波集合を行う必要があると確定する場合、重合する必要があるDL搬送波数量がＮであり、UL搬送波数量がＭであることを了解する必要がある。仮に、Ｍ個のUL搬送波とＭ’個のDL搬送波とは整合関係を持つとすると、Ｍ’≦Ｎ（Ｍ’個のDL搬送波がＮ個の重合する必要のあるDL搬送波での一部又は全部）であることがわかり、これでUEは整合UL搬送波の保留された上り制御チャネル資源を使用して整合UL搬送波を持つDL搬送波（即ち、Ｍ’個のDL搬送波）でのPDCCHに対応するACK/NACKフィードバックを送信し、ここで詳細には述べない。
【００４７】
本発明の実施形態の中で、整合関係を持つDL搬送波にとって、UEは、整合下り搬送波でのPDCCHが占用するCCE位置によって前記PDCCHに対応するフィードバック情報送信時に使用する上り制御チャネル資源を確定し、本発明の実施形態中では、詳細には述べない。
【００４８】
手順６０３、基地局高層信号経路を通じてUEに上り制御チャネル資源を配置し、UEが当該配置の上り制御チャネル資源を使用して整合関係を持っていない下り搬送波でのPDCCHに対応するACK/NACKフィードバックを送信する。
【００４９】
二種の状況に分けて、当該整合関係の詳細な処理プロセスを説明する。
【００５０】
（１） UEが搬送波にまたがるスケジューリングをサポートしないと、即ち、各搬送波でのPDSCH（Physical Downlink Shared Channel，物理下り共有チャネル）に対応するPDCCHを本搬送波内で送信しなければならないと、基地局は高層信号経路を通じて（例えば、RRC（Radio Resource Control、無線資源制御協議）信号経路）UEに上り制御チャネル資源を配置し、UEが当該配置的上り制御チャネル資源を使用して整合関係を持っていない下り搬送波でのPDCCHに対応するACK/NACKフィードバックを送信すること。
【００５１】
更に、基地局は、より高い層信号経路を通じてUEにＮ−Ｍ’個の上り制御チャネル資源を配置し、この中で、重合する必要のあるDL搬送波数量がＮであり、UL搬送波数量がＭであり、Ｍ個のUL搬送波とＭ’個のDL搬送波とは整合関係を持つ。当該Ｍ’個のDL搬送波は、自身に対応するＭ個のUL搬送波で上り制御チャネル資源を保留して、その後当該Ｍ個のUL搬送波でACK/NACKフィードバックを送信し、当該プロセスは手順６０２で詳細に説明されたので、本手順で詳細には述べない。
【００５２】
残りの整合関係を持っていないＮ−Ｍ’個のDL搬送波は、基地局高層信号経路を通じて上り制御チャネル資源を配置し、UEが当該配置された上り制御チャネル資源を利用して当該Ｎ−Ｍ’個のDL搬送波に対応するACK/NACKフィードバックを送信すること。
【００５３】
例えば、UEがＮ＝３個の下り搬送波を占用し、当該下り搬送波はそれぞれ次の通り、即ち、DL搬送波１、DL搬送波２とDL搬送波３である。３個の下り搬送波の中で、DL搬送波１とDL搬送波２はすべて上り搬送波（例えば、UL搬送波１）で、重合する時、Ｍ＝１、Ｍ’＝２、これでＮ−Ｍ’＝１である。この時、基地局は高層信号経路を通じてUEに１個の上り制御チャネル資源を配置し、UEが当該上り制御チャネル資源を使用してDL搬送波３でのPDCCHに対応するACK/NACK情報を送信する。
【００５４】
（２） UEが搬送波にまたがるスケジューリングをサポートする場合、異なる搬送波でのPDSCHに対応するPDCCHを同じDL搬送波内で送信し、これで基地局は高層信号経路を通じて（例えば、RRC信号経路）、UEに上り制御チャネル資源を配置し、これにUEが当該配置された上り制御チャネル資源を使用して、整合関係を持っていない下り搬送波でのPDCCHに対応するACK/NACKフィードバックを送信する。
【００５５】
更に、基地局は、高層信号経路を通じてUEにｋ∈｛０,１,...,Ｎ｝個の上り制御チャネル資源を配置し、UEが当該ｋ個の上り制御チャネル資源を使用して整合関係を持っていないDL搬送波でのPDCCHに対応するACK/NACK情報を送信する。この時、基地局は、整合無しのDL搬送波で最大にｋ個のPDCCHを送信できるよう制限すること。
【００５６】
ｋ＝０の場合、基地局は整合無し関係DL搬送波でUEのPDCCHを送信できない。例えば、UEがＮ＝４個の下り搬送波を占用し、それぞれ次の通り、即ち、DL搬送波１、DL搬送波２、DL搬送波３とDL搬送波４である。但し、DL搬送波１、DL搬送波２及びＭ＝１個の上り搬送波（即ち、UL搬送波１）は整合関係を持ち、基地局高層信号経路を通じてUEにｋ個の利用できる上り制御チャネル資源を配置し、ｋ＝０の場合、すべてのPDCCHをDL搬送波１とDL搬送波２で送信しなければならないので、当該UL搬送波１を使用してPDCCHに対応するACK/NACKフィードバック情報を送信し、図９に示すようである。
【００５７】
図９から見ると、スケジューリング搬送波１のPDCCH、スケジューリング搬送波２のPDCCH、スケジューリング搬送波３のPDCCHとスケジューリング搬送波４のPDCCHをDL搬送波１とDL搬送波２で送信する必要があり、これでUL搬送波１でPDCCHに対応するACK/NACKフィードバック情報を送信できる。
【００５８】
ｋ＞０の場合、基地局は、整合無し関係のDL搬送波でｋ個以下のPDCCHを送信できる。例えば、基地局高層信号経路を通じてUEに２個の上り制御チャネル資源を配置する場合、ｋ＝２で、整合無し関係のDL搬送波で送信された２個のPDCCHに対応するACK/NACK情報を高層配置の上り制御チャネル資源を使用して送信する。図１０で示すように、ｋ＝２場合の搬送波にまたがるスケジューリング時のACK/NACKフィードバックの送信見取図である。
【００５９】
図１０から見ると、スケジューリング搬送波１のPDCCH、スケジューリング搬送波２のPDCCHがそれぞれDL搬送波１とDL搬送波２で送信されて、これからUL搬送波１でスケジューリング搬送波１のPDCCHとスケジューリング搬送波２のPDCCHに対応するACK/NACKフィードバック情報を送信でき、スケジューリング搬送波３のPDCCHとスケジューリング搬送波４のPDCCHがDL搬送波３に送信され、基地局を通じてUEにより配置された２個の上り制御チャネル資源にスケジューリング搬送波１のPDCCH、スケジューリング搬送波２のPDCCHに対応するACK/NACKフィードバック情報を送信できる。
【００６０】
具体的には、複数の上り制御チャネル資源を同時に配置した時（例えば、基地局高層信号経路を通じてUEに２個の上り制御チャネル資源を配置した）、上り制御チャネル資源とPDCCHとの対応関係をPDCCHが所属する搬送波コードと占用するCCEコード暗黙式で式を確定できる。例えば、搬送波コードの最小なDL搬送波内、CCEコードの最小なPDCCHが第一配置された上り制御チャネル資源と対応し、これからCCE昇順によって並べ、これから搬送波コードの昇順によって並べ、図１１に示すようである。即ち、整合無しの下り搬送波に対して、複数の上り制御チャネル資源を同時に配置した場合、UEは、PDCCHが所属する搬送波コードと占用するCCEコードによって当該PDCCHに対応するフィードバック情報送信時に使用する上り制御チャネル資源を確定し、本発明の実施形態では詳細には述べない。
【００６１】
説明が要ることとしては、前記基地局高層信号経路を通じてUEに複数の上り制御チャネル資源を配置することは、基地局が実際のニーズによって任意に配置することである。本発明の実施形態では詳細には述べない。
【００６２】
以上のことから、本発明により提供された方法を使用することによって、長期進化多搬送波システムで、搬送波集合を使用する時に、システムでの上りフィードバックチャネル出費を低減すると同時に、資源の保留と配置を実施できる。本発明により提供された方法は簡単で、実施し易く、FDDとTDDシステムに適用し、長期進化多搬送波アップグレードシステムのシステム性能を向上できて、現有のLTEシステムと良く両立できることが分かる。
【００６３】
本発明の実施形態三は、ネットワーク側設備を提供し、図１２に示すように、下記構成を含み、即ち、
UEの上り搬送波集合と下り搬送波集合でのセル専属整合関係を持っている下り搬送波を確定するための確定モジュール１２１と、
確定モジュール１２１の確定結果によってセル専属整合関係を持っていない下り搬送波に対して上り制御チャネル資源を配置するための配置モジュール１２２とを含む。
【００６４】
具体的には、前記確定モジュール１２１はまた、前記UEが重合する搬送波集合を確定し、前記搬送波集合が上り搬送波集合と下り搬送波集合とを含む。
【００６５】
前記確定モジュール１２１はまた、下記のことに使用される。
【００６６】
前記上り搬送波集合に下り搬送波集合での整合下り搬送波の整合上り搬送波が含まれている場合、前記整合下り搬送波が確定結果に基づいて前記セル専属整合関係を持っている下り搬送波であると確定する。
【００６７】
前記上り搬送波集合に下り搬送波集合での整合無し下り搬送波の整合上り搬送波が含まれていない場合、前記整合無し下り搬送波が確定結果に基づいて前記セル専属整合関係を持っていない下り搬送波であると確定する。
【００６８】
下り搬送波が整合無し下り搬送波である場合、
前記配置モジュール１２２が具体に、高層信号経路を通じて前記UEに、PDCCHに対応するACK/NACKフィードバック情報により使用される上り制御チャネル資源を配置することに使用される。この中で、前記PDCCHが下記を含み、即ち、動態スケジューリング下りデータにより送信されたPDCCH、及び/又は半持続的なスケジューリングSPS資源により解放されたPDCCHを含む。
【００６９】
前記UEが支持搬送波にまたがるスケジューリングをサポートしない場合、
前記配置モジュール１２２はまた、高層信号経路を通じて前記PDCCHに対応するACK/NACKフィードバック情報にＮ−Ｍ’個の上り制御チャネル資源を配置する。
【００７０】
ここで、Ｎが重合する下り搬送波数量であり、Ｍが上り搬送波数量であり、Ｍ個の上り搬送波とＭ’個の下り搬送波とは整合関係を持ち、Ｍ’≦Ｎである。
【００７１】
前記UEが搬送波にまたがるスケジューリングをサポートする場合、
前記配置モジュール１２２は、また高層信号経路を通じてPDCCHに対応するACK/NACKフィードバック情報にｋ個の上り制御チャネル資源を配置する。
【００７２】
この中で、ｋ∈｛０,１,...,Ｎ｝である。
【００７３】
前記ｋ＝０の場合、
前記配置モジュール１２２はまた、整合無し下り搬送波で前記UEのPDCCHを送信しないよう確定する。
【００７４】
前記ｋ＞０の場合、
前記配置モジュール１２２はまた、整合無し下り搬送波で前記UEを送信するPDCCH数量がｋ個を超えないよう確定する。
【００７５】
以上から見ると、本発明により提供された設備を使用することによって、長期進化多搬送波システムで、搬送波集合を使用する時に、システムでの上りフィードバックチャネル出費を低減すると同時に、資源の保留と配置を実施できる。本発明により提供された方法は簡単で、実施し易く、FDDとTDDシステムに適用し、長期進化多搬送波アップグレードシステムのシステム性能を向上できて、現有のLTEシステムと良く両立できることが分かる。
【００７６】
本発明の装置の各モジュールは一体に集積してもいいし、分離して配置しても良い。前記モジュールを一つのモジュールを合併してもいいし、さらに複数のサブ・モジュールに分解しても良い。
【００７７】
本発明の実施形態四はまた一種のユーザ設備UEを提出し、図１３に示すように、下記を含み、即ち、
ネットワーク側設備からの配置情報を受け取るために使用され、前記配置情報に前記ネットワーク側設備により整合無し下り搬送波に対して配置された上り制御チャネル資源が含まれることを特徴とする受付モジュール１３１と、
前記上り制御チャネル資源を使用して前記整合無し下り搬送波でのPDCCHに対応するACK/NACKフィードバック情報を送信するための送信モジュール１３２を含む。
【００７８】
この中で、前記配置情報は次の内容、即ち、前記ネットワーク側設備により確定された重合する搬送波集合情報、整合無し下り搬送波情報と整合下り搬送波情報を含む。
【００７９】
前記PDCCHは、動態スケジューリング下りデータにより送信されたPDCCH及び/又はSPS資源により解放されたPDCCHを含む。
【００８０】
下り搬送波が整合下り搬送波である場合、
前記送信モジュール１３２は、また前記整合下り搬送波の整合上り搬送波で前記整合下り搬送波でのPDCCHに対応するACK/NACKフィードバック情報を送信することに使用される。
【００８１】
複数の上り制御チャネル資源を同時に配置する場合、前記UEはまた下記を含み、即ち、
前記PDCCHが所属する搬送波コードと占用したCCEコードによって前記PDCCHに対応するフィードバック情報送信時に使用する上り制御チャネル資源を確定するための確定モジュール１３３を含む。
【００８２】
以上から見ると、本発明により提供された設備を使用することによって、長期進化多搬送波システムで、搬送波集合を使用する時に、システムでの上りフィードバックチャネル出費を低減すると同時に、資源の保留と配置を実施できる。本発明により提供された方法は簡単で、実施し易く、FDDとTDDシステムに適用し、長期進化多搬送波アップグレードシステムのシステム性能を向上できて、現有のLTEシステムと良く両立できることが分かる。
【００８３】
この中で、本発明の装置の各モジュールを一体に集積してもいいし、分離して配置しても良い。前記モジュールを一つのモジュールを合併してもいいし、さらに複数のサブ・モジュールに分解しても良い。
【００８４】
本発明の実施形態は一種の上り制御チャネル資源配置システムも提供し、ネットワーク側設備とUEを含み、即ち、
前記UEの上り搬送波集合と下り搬送波集合でセル専属整合関係を持っている下り搬送波を確定し、確定結果に基づいてセル専属整合関係を持っていない下り搬送波に対して上り制御チャネル資源を配置するための前記ネットワーク側設備と、
前記ネットワーク側設備からの配置情報を受け取り、前記配置情報に前記ネットワーク側設備により整合下り搬送波に対して配置された上り制御チャネル資源を含み、前記上り制御チャネル資源を使用して前記整合無し下り搬送波でのPDCCHに対応するACK/NACKフィードバック情報を送信するための前記UEを含む。
【００８５】
本発明の実施形態では、前記上り搬送波集合に下り搬送波集合での整合下り搬送波の整合上り搬送波が含まれる場合、前記整合下り搬送波は、確定結果に基づいて前記セル専属整合関係を持っている下り搬送波である。
【００８６】
前記上り搬送波集合に下り搬送波集合での整合無し下り搬送波の整合上り搬送波が含まれていない場合、前記整合無し下り搬送波が確定結果に基づいて前記セル専属整合関係を持っていない下り搬送波である。
【００８７】
具体的には、前記ネットワーク側設備は、またUEが重合を行う搬送波集合を確定することに使用され、前記搬送波集合は上り搬送波集合と下り搬送波集合とを含む。下り搬送波が整合無し下り搬送波である場合、高層信号経路を通じてUEに、PDCCHに対応するACK/NACKフィードバック情報により使用される上り制御チャネル資源を配置する。前記PDCCHは、動態スケジューリング下りデータにより送信されたPDCCH及び/又はSPS資源により解放されたPDCCHを含む。
【００８８】
更に、前記UEが搬送波にまたがるスケジューリングをサポートしない場合、高層信号経路を通じてUEPDCCHに対応するACK/NACKフィードバック情報にＮ−Ｍ’個の上り制御チャネル資源を配置し、Ｎが重合する下り搬送波数量であり、Ｍが上り搬送波数量であり、Ｍ個の上り搬送波とＭ’個の下り搬送波とは整合関係を持ち、Ｍ’≦Ｎである。
【００８９】
前記UEが搬送波にまたがるスケジューリングをサポートする場合、高層信号経路を通じてPDCCHに対応するACK/NACKフィードバック情報にｋ個の上り制御チャネル資源を配置し、ｋ∈｛０,１,...,Ｎ｝である。
【００９０】
前記ｋ＝０の場合、前記ネットワーク側設備が整合無し下り搬送波で前記UEを送信できないPDCCHを確定する。
【００９１】
前記ｋ＞０の場合、前記ネットワーク側設備が整合無し下り搬送波で前記UEを送信するPDCCH数量が個を超えないことを確定する。
【００９２】
前記UEも下り搬送波が整合下り搬送波である場合、前記整合下り搬送波の整合上り搬送波で前記整合下り搬送波でのPDCCHに対応するACK/NACKフィードバック情報を送信することに使用される。
【００９３】
複数の上り制御チャネル資源を同時に配置する場合、前記PDCCHが所属する搬送波コードと占用したCCEコードとによって前記PDCCHに対応するフィードバック情報送信時に使用する上り制御チャネル資源を確定する。
【００９４】
以上から見ると、本発明により提供されたシステムを使用することによって、長期進化多搬送波システムにおいて、搬送波集合を使用する時に、システムでの上りフィードバックチャネル出費を低減すると同時に、資源の保留と配置を実施できる。本発明により提供された方法は簡単で、実施し易く、FDDとTDDシステムに適用し、長期進化多搬送波アップグレードシステムのシステム性能を向上できるとともに、現有のLTEシステムと良く両立できることが分かる。
【００９５】
前記の実施方式の説明を通じて、本技術分野の技術者は、ソフトウェアの上に必要な通用ハードウエアのプラットフォームを加える方式で本発明を実現することができることをはっきり理解できる。勿論、ハードウエアを通じても実現できるが、多くの状況の下で前者はより良い実施方式である。このような理解に基づいて、本発明の技術的方法は、本質的にいうと、又は現有技術に貢献をした部分に関して、ソフトウェア製品という形で表れることができて、当該ソフトウェア製品を記憶媒体に記憶することができて、若干の指令を含んで、一台のコンピューター設備（PC、サーバー、ネットワーク設備など）に本発明の各実施形態の前記方法を実行させる。
【００９６】
本技術分野の技術者が理解できるように、添付図面は一つの最適な実施形態の図だけであり、添付図面でのモジュール又はフローは本発明の実施に必要なものではない。
【００９７】
本技術分野の技術者が本実施形態に係る装置のモジュールを理解し、実施形態の説明通りに実施形態に係る装置に配置することができる。また、実際の状況に合わせて実施し、本実施形態と異なる一つ、あるいは複数の装置に配置することもできる。前記の実施形態のモジュールを一体に集成してもいいが、複数のサブモジュールにしてもいい。
【００９８】
本発明の実施形態の前の番号は説明上の利便性のためであり、実施形態の優劣を意味しない。
【００９９】
上記のとおり記載されたものは本発明の幾つかの具体的な実施形態だけで、但し、本発明はこれに限らず、本技術分野の技術者が思い付ける変化は全部本発明の保護範囲に属すべきである。
【図１】
2013507859.tif 000005
【図２】
2013507859.tif 000006
【図３】
2013507859.tif 000007
【図４】
2013507859.tif 000008
【図５】
2013507859.tif 000009
【図６】
2013507859.tif 000010
【図７】
2013507859.tif 000011
【図８】
2013507859.tif 000012
【図９】
2013507859.tif 000013
【図１０】
2013507859.tif 000014
【図１１】
2013507859.tif 000015
【図１２】
2013507859.tif 000016
【図１３】
2013507859.tif 000017
【手続補正書】
【提出日】平成24年6月5日(2012.6.5)
【手続補正１】
【補正対象書類名】特許請求の範囲
【補正対象項目名】全文
【補正方法】変更
【補正の内容】
【特許請求の範囲】
【請求項１】
ネットワーク側設備が、ユーザ設備UEの上り搬送波集合と下り搬送波集合との中でセル専属整合関係を持っている下り搬送波を確定することと、
前記ネットワーク側設備が、確定結果に基づいてセル専属整合関係を持っていない下り搬送波に対して上り制御チャネル資源を配置することとを含むことを特徴とする上り制御チャネル資源配置方法。
【請求項２】
前記ネットワーク側設備がUEの上り搬送波集合と下り搬送波集合との中でセル専属整合関係を持っている下り搬送波を確定する前に、
前記ネットワーク側設備が前記UEにより重合される搬送波集合を確定することを含み、前記搬送波集合が上り搬送波集合と下り搬送波集合とを含むこと
を特徴とする請求項１記載の方法。
【請求項３】
前記上り搬送波集合に下り搬送波集合のうちの１つの下り搬送波のセル専属整合関係を有する上り搬送波を含む場合、前記下り搬送波が確定結果に基づいて前記セル専属整合関係を持っている下り搬送波であることと、
前記上り搬送波集合が下り搬送波集合のうちの１つの下り搬送波のセル専属整合関係を有する上り搬送波を含まない場合、前記下り搬送波が確定結果に基づいて前記セル専属整合関係を持っていない下り搬送波であることを含むこと
を特徴とする請求項１記載の方法。
【請求項４】
下り搬送波が整合無し下り搬送波である場合、前記ネットワーク側設備が確定結果によってセル専属整合関係を持っていない下り搬送波に対して上り制御チャネル資源を配置することは、
前記ネットワーク側設備が高層信号経路を通じて前記UE物理下り制御チャネルPDCCHに対応するACK/NACKフィードバック情報により使用される上り制御チャネル資源を配置することを含むこと
を特徴とする請求項１又は３記載の方法。
【請求項５】
前記PDCCHは動態スケジューリング下りデータにより送信されたPDCCH、及び/又は半持続的なスケジューリングSPS資源により解放されたPDCCHを含むこと
を特徴とする請求項４記載の方法。
【請求項６】
前記UEが搬送波にまたがるスケジューリングをサポートしない場合、前記ネットワーク側設備が、高層信号経路を通じて前記UEのPDCCHに対応するACK/NACKフィードバック情報によって使用される上り制御チャネル資源を配置することは、
前記ネットワーク側設備が、高層信号経路を通じて前記PDCCHに対応するACK/NACKフィードバック情報によって使用されるＮ−Ｍ’個の上り制御チャネル資源を配置することを含み、Ｎが重合する下り搬送波数量であり、Ｍが上り搬送波数量であり、Ｍ個の上り搬送波とＭ’個の下り搬送波とは整合関係を持ち、Ｍ’≦Ｎとなり、
前記UEが搬送波にまたがるスケジューリングをサポートする場合、前記ネットワーク側設備が高層信号経路を通じて前記UEのPDCCHに対応するACK/NACKフィードバック情報で使用する上り制御チャネル資源を配置することは、
前記ネットワーク側設備が高層信号経路を通じてPDCCHに対応するACK/NACKフィードバック情報にｋ個の上り制御チャネル資源を配置することを含み、ｋ∈｛０,１,...,Ｎ｝であること
を特徴とする請求項４記載の方法。
【請求項７】
前記ｋ＝０の場合、前記ネットワーク側設備が整合無し下り搬送波で前記UEのPDCCHを送信しないよう確定することと、
前記ｋ＞０の場合、前記ネットワーク側設備が整合無し下り搬送波で前記UEのPDCCHを送信する数量がｋ個を超えないよう確定すること
を特徴とする請求項６記載の方法。
【請求項８】
UEの上り搬送波集合と下り搬送波集合との中でセル専属整合関係を持っている下り搬送波を確定するための確定モジュールと、
確定モジュールの確定結果によってセル専属整合関係を持っていない下り搬送波に対して上り制御チャネル資源を配置するための配置モジュールとを含むこと
を特徴とするネットワーク側設備。
【請求項９】
前記確定モジュールがまた、前記UEが重合する搬送波集合を確定することに使用され、前記搬送波集合が上り搬送波集合と下り搬送波集合とを含むこと
を特徴とする請求項８記載のネットワーク側設備。
【請求項１０】
前記確定モジュールがまた、
前記上り搬送波集合が下り搬送波集合のうちの１つの下り搬送波のセル専属整合関係を含む場合、前記下り搬送波が確定結果に基づいて前記セル専属整合関係を持つ下り搬送波であると確定することと、
前記上り搬送波集合に下り搬送波集合のうちの１つの下り搬送波のセル専属整合関係を含まない場合、前記下り搬送波が確定結果に基づいて前記セル専属整合関係を持っていない下り搬送波であることを確定することとに使用されること
を特徴とする請求項８記載のネットワーク側設備。
【請求項１１】
下り搬送波が整合無し下り搬送波である場合、
前記配置モジュールが具体的に、高層信号経路を通じて、前記UEにPDCCHに対応するACK/NACKフィードバック情報に使用する上り制御チャネル資源を配置することに使用されること
を特徴とする請求項８又は１０記載のネットワーク側設備。
【請求項１２】
前記UEが搬送波にまたがるスケジューリングをサポートしない場合、
前記配置モジュールがまた、高層信号経路を通じて前記PDCCHに対応するACK/NACKフィードバック情報によって使用されるＮ−Ｍ’個の上り制御チャネル資源を配置することを含み、
Ｎが重合する下り搬送波数量、Ｍが上り搬送波数量であり、Ｍ個の上り搬送波とＭ’個の下り搬送波とは整合関係Ｍ’≦Ｎを持ち、
前記UEが搬送波にまたがるスケジューリングをサポートする場合、
前記配置モジュールがまた、高層信号経路を通じてPDCCHに対応するACK/NACKフィードバック情報もk個の上り制御チャネル資源を配置するために使用され、
ｋ∈｛０,１,...,Ｎ｝であること
を特徴とする請求項１１記載のネットワーク側設備。
【請求項１３】
前記ｋ＝０の場合、前記配置モジュールがまた整合無し下り搬送波で前記UEのPDCCHを送信しないよう確定するために使用され、
前記ｋ＞０の場合、前記配置モジュールがまた整合無し下り搬送波で前記UEのｋ個以上のPDCCHを送信することを確定するために使用されること
を特徴とする請求項１２記載のネットワーク側設備。
【請求項１４】
UEがネットワーク側設備からの配置情報を受け取ることを含み、前記配置情報が前記ネットワーク側設備により整合無し下り搬送波に対して配置された上り制御チャネル資源を含み、
前記UEが前記上り制御チャネル資源を使用して前記整合無し下り搬送波でのPDCCHに対応するACK/NACKフィードバック情報を送信すること
を特徴とする上り制御チャネル資源配置方法。
【請求項１５】
前記配置情報が前記ネットワーク側設備により確定された重合した搬送波集合情報、整合無し下り搬送波情報、および整合下り搬送波情報を含み、
前記PDCCHが、動態スケジューリング下りデータにより送信されたPDCCH、及び/又は，半分持続的なスケジューリングSPS資源により解放されたPDCCHを含むこと
を特徴とする請求項１４記載の方法。
【請求項１６】
下り搬送波が整合下り搬送波である場合、
前記UEが前記整合下り搬送波の整合上り搬送波で前記整合下り搬送波でのPDCCHに対応するACK/NACKフィードバック情報を送信すること
を特徴とする請求項１５記載の方法。
【請求項１７】
複数の上り制御チャネル資源を配置する時に、
前記UEが、前記PDCCHによって配置された搬送波コードと前記PDCCHによって占用されたCCEコードとによって前記PDCCHに対応するフィードバック情報送信時に使用する上り制御チャネル資源を確定することを含むこと
を特徴とする請求項１４から１６の何れか１項記載の方法。
【請求項１８】
ネットワーク側設備からの配置情報を受け取るために使用され、前記配置情報に前記ネットワーク側設備により整合無し下り搬送波に対して配置された上り制御チャネル資源が含まれることを特徴とする受付モジュールと、
前記上り制御チャネル資源を使用して前記整合無し下り搬送波でのPDCCHに対応するACK/NACKフィードバック情報を送信するための送信モジュールとを含むこと
を特徴とするユーザ設備UE。
【請求項１９】
下り搬送波が整合下り搬送波である場合、
前記送信モジュールが、前記整合下り搬送波の整合上り搬送波で前記整合下り搬送波でのPDCCHに対応するACK/NACKフィードバック情報を送信することにも使用されること
を特徴とする請求項１８記載のユーザ設備UE。
【請求項２０】
複数の上り制御チャネル資源を同時に配置する場合、
前記PDCCHによって配置された搬送波コードと前記ＰＤＣＣＨによって占用されたCCEコードとによって前記PDCCHに対応するフィードバック情報送信時に使用する上り制御チャネル資源を確定するための確定モジュールを含むこと
を特徴とする請求項１８又は１９記載のユーザ設備UE。
【国際調査報告】
2013507859.tif 000018
2013507859.tif 000019
2013507859.tif 000020
2013507859.tif 000021